(57)【要約】【課題】ケースの上下にケースを挟むように取り付けた操作つまみ体と移動体とをスライド移動させた際に音や振動が生じないスライド式電子部品を提供する。【解決手段】ケース１１０と、ケース１１０の上面に沿ってスライド移動する操作つまみ体１４０と、ケース１１０の下面側に設置され開口１１５を介して操作つまみ体１４０に取り付けられ操作つまみ体１４０と一体にスライド移動する移動体５０と、移動体５０によって駆動操作される電子部品本体２０とを具備する。開口１１５内において操作つまみ体１４０の支持部材１８３に衝撃吸収部材２１０を取り付け、操作つまみ体１４０をスライド移動した終端位置において衝撃吸収部材２１０を開口１１５の内周面１１５ａに当接させることで音や振動の発生を防止する。【選択図】図１
2009158361.tif 000002
【特許請求の範囲】
【請求項１】
ケースと、
ケースの上面側に設置されケースの上面に沿ってスライド移動する操作つまみ体と、
ケースの下面側に設置され前記ケースに設けた開口を介して前記操作つまみ体に取り付けられ操作つまみ体と一体にスライド移動する移動体と、
前記移動体によって駆動操作される電子部品本体と、を具備し、
前記操作つまみ体をスライド移動することで移動体をスライド移動させて前記電子部品本体を駆動しその電気的出力を変化させるスライド式電子部品において、
前記ケースの開口内において前記操作つまみ体又は移動体に衝撃吸収部材を取り付け、前記操作つまみ体をスライド移動した終端位置においてこの衝撃吸収部材をケースの開口の内周面に当接させることを特徴とするスライド式電子部品。
【請求項２】
前記操作つまみ体又は移動体から前記開口内に支持部材を突出して設け、この支持部材を前記衝撃吸収部材に設けた支持部材挿入孔に挿入することで、支持部材に衝撃吸収部材を取り付けたことを特徴とする請求項１に記載のスライド式電子部品。
【請求項３】
前記操作つまみ体及び移動体を中立位置に自動復帰させる自動復帰機構が設けられており、
また前記移動体とケースとの間には、前記移動体とケースとの間を開く方向に付勢することで前記操作つまみ体を前記ケースに押し付ける弾発部材が設置され、
さらにこの弾発部材は中央に設けた基部の両側から前記スライド移動方向に向けて延びる一対のアーム部を有し、両アーム部にそれぞれ前記ケースに弾接する弾発部を設けてなることを特徴とする請求項１又は２に記載のスライド式電子部品。
【請求項４】
前記ケースの上下面は前記スライド移動方向に向けて略円弧状に湾曲しており、前記移動体のケースと対向する面もケースの下面と略同一の略円弧状に形成され、
前記弾発部材の基部を前記移動体の前記ケースに対向する面に取り付けてその両弾発部をケースの下面に弾接することで、両アーム部を略円弧状に弾性を持って撓ませることを特徴とする請求項３に記載のスライド式電子部品。
【発明の詳細な説明】
【技術分野】
【０００１】
本発明は、スライド式スイッチやスライド式可変抵抗器等のスライド式電子部品に関するものである。
【背景技術】
【０００２】
従来、スライド式電子部品の中には、例えば特許文献１に示すように、電子機器の外装ケース（３０）に設けた貫通穴（３１ａ，３１ｂ）を介してその上下につまみ（１０）と摺動型物（５０）とを設置してこれらを一体に係合することで、これらつまみ（１０）と摺動型物（５０）とを外装ケース（３０）に対して一体にスライド移動するように構成し、つまみ（１０）をスライド移動することで摺動型物（５０）をスライド移動させてその電気的出力を変化させる構造のものがある。この摺動型物（５０）には中点復帰用のコイルスプリング（５５）が取り付けられており、指等によってつまみ（１０）を一方の方向にスライド移動させた後に指を離すと、つまみ（１０）及び摺動型物（５０）は元の中立位置に自動復帰する。
【０００３】
しかしながらこの種の従来のスライド式電子部品においては、つまみ（１０）を指等によって一方のスライド移動方向にスライド移動した際につまみ（１０）から外装ケース（３０）の貫通穴（３１ａ，３１ｂ）内に挿入されている係合爪（２５ａ，２５ｂ）の側面が貫通穴（３１ａ，３１ｂ）の内周面に衝突し、これによって音及び振動が生じてしまうという問題があった。
【０００４】
一方外装ケース（３０）上に設置しているつまみ（１０）が外装ケース（３０）に対してスムーズにスライド移動するためにはつまみ（１０）と外装ケース（３０）との間に所定の隙間（遊び）を設けておかなければならないが、このためつまみ（１０）は外装ケース（３０）に対して所定のがたつきを生じてしまう。このため例えば指によってつまみ（１０）を一方のスライド方向にスライド移動してから前記指を離して中立位置に自動復帰させる際、つまみ（１０）と外装ケース（３０）の間の前記がたつきによって音及び振動が生じてしまう恐れがあった。この問題は、前記中立位置へのつまみ（１０）の復帰速度が速くなればなるほど大きくなる。
【０００５】
これらの音及び振動は、このスライド式電子部品を例えばデジタルビデオカメラの操作つまみ等として利用した場合に、その録音に雑音として収録されてしまう等の不都合を生じる。
【特許文献１】特開２００７−５３０１８号公報
【発明の開示】
【発明が解決しようとする課題】
【０００６】
本発明は上述の点に鑑みてなされたものでありその目的は、ケースの上下にケースを挟むように操作つまみ体と移動体とを一体にスライド移動自在に取り付けてなるスライド式電子部品において、操作つまみ体と移動体とをスライド移動させた際に、音や振動が生じないスライド式電子部品を提供することにある。
【課題を解決するための手段】
【０００７】
本願請求項１に記載の発明は、ケースと、ケースの上面側に設置されケースの上面に沿ってスライド移動する操作つまみ体と、ケースの下面側に設置され前記ケースに設けた開口を介して前記操作つまみ体に取り付けられ操作つまみ体と一体にスライド移動する移動体と、前記移動体によって駆動操作される電子部品本体と、を具備し、前記操作つまみ体をスライド移動することで移動体をスライド移動させて前記電子部品本体を駆動しその電気的出力を変化させるスライド式電子部品において、前記ケースの開口内において前記操作つまみ体又は移動体に衝撃吸収部材を取り付け、前記操作つまみ体をスライド移動した終端位置においてこの衝撃吸収部材をケースの開口の内周面に当接させることを特徴とするスライド式電子部品にある。
【０００８】
本願請求項２に記載の発明は、前記操作つまみ体又は移動体から前記開口内に支持部材を突出して設け、この支持部材を前記衝撃吸収部材に設けた支持部材挿入孔に挿入することで、支持部材に衝撃吸収部材を取り付けたことを特徴とする請求項１に記載のスライド式電子部品にある。
【０００９】
本願請求項３に記載の発明は、前記操作つまみ体及び移動体を中立位置に自動復帰させる自動復帰機構が設けられており、また前記移動体とケースとの間には、前記移動体とケースとの間を開く方向に付勢することで前記操作つまみ体を前記ケースに押し付ける弾発部材が設置され、さらにこの弾発部材は中央に設けた基部の両側から前記スライド移動方向に向けて延びる一対のアーム部を有し、両アーム部にそれぞれ前記ケースに弾接する弾発部を設けてなることを特徴とする請求項１又は２に記載のスライド式電子部品にある。
【００１０】
本願請求項４に記載の発明は、前記ケースの上下面は前記スライド移動方向に向けて略円弧状に湾曲しており、前記移動体のケースと対向する面もケースの下面と略同一の略円弧状に形成され、前記弾発部材の基部を前記移動体の前記ケースに対向する面に取り付けてその両弾発部をケースの下面に弾接することで、両アーム部を略円弧状に弾性を持って撓ませることを特徴とする請求項３に記載のスライド式電子部品にある。
【発明の効果】
【００１１】
請求項１に記載の発明によれば、ケースの開口内に衝撃吸収部材を設置したので、操作つまみ体をスライド移動した終端位置において操作つまみ体又は移動体がケースの開口の内周面に当接することで生じる音や振動を防止できる。
【００１２】
請求項２に記載の発明によれば、衝撃吸収部材を容易且つ確実にケースの開口内に設置することができ、また衝撃吸収部材は一部品で構成できるので部品点数を少なくできる。
【００１３】
請求項３に記載の発明によれば、弾発部材の付勢によって操作つまみ体をケースに押し付けるので、操作つまみ体と移動体とをケースに対してがたつきなくスライド移動させることができ、従って自動復帰機構によって移動体及び操作つまみ体が中立位置に自動復帰する際の前記がたつきに基く音や振動の発生を防止できる。また弾発部材による付勢によって、操作つまみ体のスライド移動に抵抗力を付与でき、自動復帰機構による自動復帰時の操作つまみ等の移動速度を遅くでき、この点からも前記がたつきに基く音や振動の発生を防止できる。さらに基部の両側に一対のアーム部を設け両アーム部にそれぞれケースに弾接する弾発部を設けて弾発部材を構成したので、移動体をバランス良くケースから離れる方向に付勢でき、これによって操作つまみ体をバランス良くケースに押し付けることができ、操作つまみ体と移動体とをケースに対してスムーズにがたつきなくスライド移動させることが可能となり、従って前記がたつきに基く音や振動の発生をさらに効果的に防止できる。
【００１４】
請求項４に記載の発明によれば、ケースがスライド移動方向に向けて略円弧状に湾曲していて操作つまみ体も円弧状にスライド移動する構造のスライド式電子部品であっても、容易に操作つまみ体をバランス良くケースに押し付けて、操作つまみ体と移動体とをケースに対してスムーズにがたつきなくスライド移動させることが可能となり、前記がたつきに基く音や振動の発生を効果的に防止できる。
【発明を実施するための最良の形態】
【００１５】
以下、本発明の実施形態を図面を参照して詳細に説明する。図１は本発明の１実施形態にかかるスライド式電子部品１の概略側断面図、図２はスライド式電子部品１（その上側の部品）を上側から見た分解斜視図、図３はスライド式電子部品１（その下側の部品）を上側から見た分解斜視図、図４はスライド式電子部品１（その上側の部品）を下側から見た分解斜視図、図５はスライド式電子部品１（その下側の部品）を下側から見た分解斜視図である。これらの図に示すようにスライド式電子部品１は、回路基板１０上に設置した電子部品本体２０上に、移動体５０と、弾発部材（以下「板バネ」という）８０と、ケース１１０と、操作つまみ１５０及びつまみ補助部材１８０を一体化してなる操作つまみ体１４０と、ケース１１０の開口１１５内に設置される衝撃吸収部材２１０とを具備して構成されている。以下各構成部品について説明する。なお以下の説明において、「上」とはケース１１０から操作つまみ体１４０を向く方向をいい、「下」とはケース１１０から移動体５０を向く方向をいうものとする。また以下の説明において、「スライド移動方向」とは図１に矢印Ａで示すように、操作つまみ体１４０の移動方向をいい、また「幅方向」とはスライド移動方向Ａに直交する方向をいうものとする。
【００１６】
回路基板１０はフレキシブル回路基板であっても良いし、硬質回路基板であっても良い。フレキシブル回路基板の場合はその下面側に硬質板を設置してこれを保持する。電子部品本体２０は自動復帰機構付きのスライド式電子部品本体であり、前記回路基板１０上に設けた図示しない摺接パターンの種類によって、スライド式可変抵抗器本体であったり、スライド式スイッチ本体であったりする。具体的には回路基板１０上に取り付けた本体ケース２１内に、本体ケース２１の長手方向にスライド移動するスライド移動体２３を収納し、このスライド移動体２３に図示しない摺動子を取り付け、スライド移動体２３をスライド移動することで前記摺動子を前記回路基板１０上に設けた摺接パターンに摺接させることによってその電気的出力を変化させるように構成している。ここで本体ケース２１はステンレス製、スライド移動体２３はＰＯＭ樹脂製であるが、それぞれ他の材質で構成しても良い。スライド移動体２３は本体ケース２１内に収納された図示しない弾発手段（この例では圧縮コイルバネ）によって、本体ケース２１の略中央に自動復帰する構成となっている。弾発手段による自動復帰機構は従来公知の機構であればどのような機構であっても良く、要はスライド移動体２３を所望の中立位置（必ずしもスライド移動方向の中央でなくても良く、端部であっても良い）に自動復帰させる機構であれば良い。弾発手段も圧縮コイルバネに限られず、引っ張りコイルバネを用いたもの、ねじりコイルバネを用いたもの、板バネを用いたものなど、種々のものであってもよい。
【００１７】
本体ケース２１の側面には長孔状の開口部２５が設けられており、開口部２５からは前記スライド移動体２３と一体成形された操作レバー２７が突出している。操作レバー２７の先端側部分は上方向に屈曲してその先端に略円柱状の係合部２９を設けている。係合部２９はスライド移動体２３のスライド移動方向Ｂに直交する方向に円柱の中心軸が向くように設置されている。
【００１８】
移動体５０は合成樹脂成形品であり、この実施形態においてはＡＢＳ樹脂を用いているが、他の各種合成樹脂材を用いて構成しても良い。移動体５０の形状は、略板状で矩形状であり、その全体がこの移動体５０のスライド移動方向Ａに向かって略円弧状に湾曲する形状に形成されている。移動体５０の上面中央には、平面状であってスライド移動方向に直交する方向に延びる弾発部材取付部（以下「板バネ取付部」という）５１が設けられ、この板バネ取付部５１内には一対の上下に貫通する小孔からなる取付部５３が形成されている。移動体５０の上面のスライド移動方向Ａに向かってその左右両側近傍には、それぞれ上方向に突出する凸条からなる摺接部５５，５５が設けられ、一方の摺接部５５の外側には上方向に突出する側壁５７が設けられている。移動体５０の下面中央の前記一対の取付部５３の間の位置には、一対の柱状の突出部５９，５９の間に形成される凹状の被係合部６１が設けられている。突出部５９，５９はスライド移動方向Ａに向かって併設されている。被係合部６１は上下方向に向かって平行な内側面を有する凹部であり、前記スライド移動体２３の操作レバー２７に設けた係合部２９をぴったり且つ上下動自在で回動自在に挿入する寸法を有している。
【００１９】
板バネ８０は弾性金属板を略矩形状に形成して構成されており、この実施形態ではリン青銅板を用いている。もちろん他の各種材質のものを用いても良い。板バネ８０の中央には前記移動体５０に設けた板バネ取付部５１上に載置される基部８１を設け、この基部８１の両側からスライド移動方向Ａに向けて一対のアーム部８３，８３を延ばし、両アーム部８３，８３の先端近傍にそれぞれ弾発部８５，８５を設けて構成されている。基部８１は平面状であって前記移動体５０の板バネ取付部５１内に設置される寸法で構成され、前記移動体５０に設けた取付部５３，５３に対向する位置にそれぞれ取付部５３，５３と略同一内径の貫通孔からなる挿通部８７，８７を設けている。アーム部８３は基部８１の端辺部分を上方向に折り曲げてさらに逆方向に折り曲げることで、基部８１と略平行で基部８１よりも若干高い位置に位置するように構成されており、その先端辺は下方向に折り曲げられている。そしてアーム部８３の平面状部分の先端近傍の左右両端近傍に上方向に略円錐状に突出する前記弾発部８５が設けられている。つまり弾発部８５はそれぞれのアーム部８３の先端近傍の左右両位置に一対ずつ設けられている。
【００２０】
ケース１１０は合成樹脂製であり、ここではＡＢＳ／ＰＣ樹脂を用いているが、他の各種合成樹脂材を用いて構成しても良い。ケース１１０の形状は略板状であってその全体がスライド移動方向Ａに向かって円弧状に湾曲している。湾曲の曲率半径は、前記移動体５０の略円弧状の上面の曲率半径と略同じである。ケース１１０の中央には凹状でスライド移動方向に延びる略矩形状のつまみ収納部１１１が設けられている。つまみ収納部１１１はその幅（スライド移動方向Ａに直交する方向の長さ）寸法が、下記する操作つまみ体１４０の幅寸法と略同一（操作つまみ体１４０の幅寸法より若干長い）であり、その長さ（スライド移動方向Ａに向かう長さ）寸法が、下記する操作つまみ体１４０の長さ寸法よりも所定長さ長い寸法に形成されている。つまみ収納部１１１の底面１１３の略中央には矩形状に貫通する開口１１５が設けられており、その左右両側には上方向に向かって突出する一対の凸状からなる摺接部１１７（図２にはその一方のみ示す）が設けられている。ケース１１０下面は、前記つまみ収納部１１１を設けることによって下方向に突出する突出部１１９となっており、突出部１１９の下面の開口１１５両側のスライド方向Ａに向かう面は前記板バネ８０の弾発部８５が弾接する板バネ弾接面１２１となっている。
【００２１】
操作つまみ１５０は合成樹脂（この実施形態ではＡＢＳ樹脂を用いているが他の各種合成樹脂材を用いても良い）を略矩形状に成形して構成されており、その上面中央には指等によってこの操作つまみ１５０を操作する操作部１５１が設けられている。またその下面は前記ケース１１０上面（正確には底面１１３）と略同一の曲率半径で円弧状に凹んでおり、その中央にはつまみ補助部材１８０を収納する補助部材収納部１５３が設けられている。補助部材収納部１５３の底面には下方向に向かって突出する一対の小突起からなる補助部材取付部１５５が設けられている。
【００２２】
つまみ補助部材１８０は合成樹脂（この実施形態ではＰＯＭ樹脂を用いているが他の各種合成樹脂材を用いても良い）を略矩形板状に成形して構成されており、その下面は前記ケース１１０上面（正確には底面１１３）と略同一の曲率半径で円弧状に凹んだ面となっている。つまみ補助部材１８０の前記操作つまみ１５０の各補助部材取付部１５５に対向する位置には、それぞれ各補助部材取付部１５５を挿入する上下に貫通する小孔からなる挿通取付部１８１が設けられ、またつまみ補助部材１８０下面の両挿通取付部１８１の間の位置には下方向に向かって突出する柱状の支持部材１８３が設けられている。支持部材１８３はつまみ補助部材１８０と一体成形され、略長円柱状の形状となっている。ここで「長円」とは、この明細書においては、半径の等しい二つの円を共通外接線でつないだ形をいうものとする。以下の文章においても同様である。そして長円の長手方向（長軸方向）がスライド移動方向Ａを向くように支持部材１８３は設置されている。
【００２３】
つまみ補助部材１８０下面の前記支持部材１８３の両側（スライド移動方向Ａ向かって左右両側）には、下方向に向かって突出する一対の連結部１８５が設けられている。連結部１８５は結合台座１８７の下面中央に柱状の小突起からなる結合部１８９を設けて構成されており、何れも前記支持部材１８３からは所定の距離離間している。つまみ補助部材１８０下面の外周辺近傍の左右３ヶ所ずつにはそれぞれ、薄く矩形状に突出する摺接部１９１が設けられている（図４では５ヵ所のみ示す）。摺接部１９１は前記ケース１１０の摺接部１１７上に当接する位置に設けられている。
【００２４】
衝撃吸収部材２１０は弾性を有するクッション材を略矩形状（この例では直方体形状）に形成して構成されており、その幅方向の外形寸法は、前記つまみ補助部材１８０に設けた一対の連結部１８５の間の離間距離と略同一寸法であり、またスライド方向Ａの長さ寸法は連結部１８５（その結合台座１８７）の長さ寸法よりも所定寸法長い寸法に形成されている。衝撃吸収部材２１０の略中央には上下に貫通して前記つまみ補助部材１８０に設けた支持部材１８３を挿入する支持部材挿入孔２１１が設けられている。支持部材挿入孔２１１の内形形状は前記支持部材１８３の外形形状と略同一の長円形であり、両者は略同一寸法に形成されており、弾性を有する衝撃吸収部材２１０の支持部材挿入孔２１１を少し押し広げながら支持部材１８３を挿入することで支持部材１８３に衝撃吸収部材２１０を取り付けることができる寸法に形成されている。ここで使用する衝撃吸収部材２１０の材質は、ゴム弾性を有する材料（ゴム製又は合成樹脂製の弾性体）であり、この例では衝撃吸収部材２１０として、高発泡ウレタンフォーム又は高発泡シリコンフォーム（例えば株式会社ロジャースイノアックの商品名「ポロン（ＰＯＲＯＮ）」又は「ナンネックス（ＮａｎＮｅｘ）」）を用いている。何れの部材においても、高い衝撃（振動）吸収性と、低圧縮残留性（いわゆるヘタリが小さい）とを有している。もちろん他の各種弾性材料を用いて衝撃吸収部材２１０を構成しても良い。
【００２５】
次にスライド式電子部品１の組立方法を説明する。まず操作つまみ１５０の補助部材収納部１５３内につまみ補助部材１８０を収納し、その際操作つまみ１５０の一対の補助部材取付部１５５をつまみ補助部材１８０の挿通取付部１８１に挿入し、つまみ補助部材１８０の下面に突出する補助部材取付部１５５の先端を熱かしめによって固定する。これによって操作つまみ体１４０が構成される。
【００２６】
次につまみ補助部材１８０の下面中央に衝撃吸収部材２１０を設置し、その際つまみ補助部材１８０の支持部材１８３を衝撃吸収部材２１０の支持部材挿入孔２１１に挿入して取り付ける。
【００２７】
次に衝撃吸収部材２１０を取り付けた操作つまみ体１４０をケース１１０のつまみ収納部１１１内に収納する。このときつまみ補助部材１８０の下面に設けた一対の連結部１８５はケース１１０の開口１１５内に挿入され、その先端側の結合部１８９はケース１１０の下面に突出する。
【００２８】
そしてケース１１０のつまみ収納部１１１の下面側に板バネ８０と移動体５０とをこの順番で配置し（このとき板バネ８０の基部８１が移動体５０の板バネ取付部５１上に載置される）、その際前記一対の結合部１８９をそれぞれ板バネ８０の挿通部８７と移動体５０の取付部５３とに挿通し、移動体５０の下面に突出する前記結合部１８９の先端を熱かしめする。これによってケース１１０を介してその上下に操作つまみ体１４０と板バネ８０と移動体５０とが一体に取り付けられる。
【００２９】
そして前記操作つまみ体１４０等を取り付けたケース１１０の下面側に、電子部品本体２０を設置した回路基板１０を配置し、図示しない結合手段によってケース１１０に対して回路基板１０を所定の設置位置に取り付ける。このとき電子部品本体２０から突出している係合部２９を前記移動体５０下面の被係合部６１に係合する。これによってスライド式電子部品１の組み立てが完了する。なお上記組立手順はその一例であり、他の各種異なる組立手順を用いて組み立てても良いことはいうまでもない。
【００３０】
以上のようにスライド式電子部品１は、ケース１１０と、ケース１１０の上面側に設置されケース１１０の上面に沿ってスライド移動する操作つまみ体１４０と、ケース１１０の下面側に設置されケース１１０に設けた開口１１５を介して操作つまみ体１４０に取り付けられ操作つまみ体１４０と一体にスライド移動する移動体５０と、移動体５０によって駆動操作される電子部品本体２０と、を具備している。
【００３１】
次にスライド式電子部品１の動作を説明する。図１に示すスライド式電子部品１において、操作つまみ体１４０の操作部１５１を指等によって例えば図１に示す右方向に移動すれば、操作つまみ体１４０及びこれと一体の移動体５０がケース１１０の湾曲面形状に沿って円弧状にスライド移動する（図６参照）。このときスライド移動体２３の略円形の係合部２９が移動体５０の被係合部６１に係合されているので、これら係合部２９と被係合部６１との係合により、移動体５０の円弧スライド運動がスライド移動体２３の直線スライド運動に変換され、スライド移動体２３に取り付けた図示しない摺動子が回路基板１０上の摺接パターン上を摺動し、回路基板１０上に設けた図示しない回路パターンの出力が変化する。そして前記操作つまみ体１４０から指等を離してこれをフリーの状態にすると、電子部品本体２０内に取り付けた自動復帰機構（その弾発手段）によってスライド移動体２３は元の中立位置（この例の場合は中央位置）に自動復帰し、回路基板１０の電気的出力が元の状態に変化すると同時に、移動体５０及び操作つまみ体１４０も元の中立位置（この例の場合は中央位置）に自動復帰する。
【００３２】
そしてこのスライド式電子部品１においては前述のように、ケース１１０の開口１１５内において操作つまみ体１４０に衝撃吸収部材２１０を取り付けているので、操作つまみ体１４０をスライド移動していって図６に示すようにその終端位置に至った際は、この衝撃吸収部材２１０がケース１１０の開口１１５の内周面１１５ａに当接する。衝撃吸収部材２１０は柔軟性があるので、たとえケース１１０の開口１１５の内周面１１５ａに当接しても、音や振動が生じることはない。つまりケース１１０の開口１１５内に衝撃吸収部材２１０を設置したので、操作つまみ体１４０をスライド移動した終端位置において操作つまみ体１４０（開口１１５内に位置する連結部１８５の部分など）がケース１１０の開口１１５の内周面１１５ａに当接することで生じる音や振動を防止できる。
【００３３】
特にこのスライド式電子部品１の場合、操作つまみ体１４０から開口１１５内に支持部材１８３を突出して設け、この支持部材１８３を衝撃吸収部材２１０に設けた支持部材挿入孔２１１に挿入することで支持部材１８３に衝撃吸収部材２１０を取り付けたので、衝撃吸収部材２１０を容易且つ確実にケース１１０の開口１１５内に設置することができ、また衝撃吸収部材２１０は一部品で構成できるので部品点数を少なくできる。
【００３４】
特に上記衝撃吸収部材２１０は、支持部材１８３に取り付けられて支持された上に、その外周左右両側面が一対の連結部１８５（その結合台座１８７の部分）によって挟持・ガイドされるので、さらにその取り付けを確実にでき、例えこれが開口１１５の内周面１１５ａに強く当接することで強い衝撃が加わったとしてもその位置がずれたり回転したりして不都合が生じることはない。
【００３５】
ところでこのスライド式電子部品１は、操作つまみ体１４０及び移動体５０を、ケース１１０を挟んでその上下に一体にスライド移動自在に取り付ける構造なので、操作つまみ体１４０及び移動体５０をケース１１０に対してスムーズにスライド移動させるために、操作つまみ体１４０及び移動体５０とケース１１０の上下面との間に所定の隙間（がたつき）が必要であり、そのため操作つまみ体１４０及び移動体５０が電子部品本体２０に設けた自動復帰機構（操作つまみ体１４０及び移動体５０を中立位置に自動復帰させる自動復帰機構）によって中立位置に自動復帰する際に、前記がたつきによる音や振動が生じる恐れがある。これは特に自動復帰の速度が速いほど大きくなる。そこでこのスライド式電子部品１においては、前述のように移動体５０とケース１１０との間に移動体５０とケース１１０との間を開く方向に付勢することで操作つまみ体１４０をケース１１０に押し付ける板バネ８０を設置し、これによって操作つまみ体１４０の下面をがたつきなくケース１１０の上面に押し付けている。従って操作つまみ体１４０及び移動体５０の自動復帰時でも（もちろんそれ以外の動作のときでも）ケース１１０に対して操作つまみ体１４０及び移動体５０をがたつきなくスライド移動させることができる。従って自動復帰機構によって移動体５０及び操作つまみ体１４０が中立位置に自動復帰する際のがたつきに基く音や振動が発生しなくなる。また板バネ８０による弾発によって、操作つまみ体１４０のスライド移動に抵抗力を付与でき、自動復帰機構による自動復帰時の操作つまみ１４０等の移動速度を遅くでき、この点からも前記がたつきに基く音や振動の発生が防止できる。
【００３６】
またこのスライド式電子部品１においては、板バネ８０を弾性板製であって、中央に設けた基部８１の両側からスライド移動方向Ａに向けて延びる一対のアーム部８３，８３を有し、両アーム部８３，８３にそれぞれケース１１０に弾接する弾発部８５，８５を設けて構成しているので、移動体５０をバランス良くケース１１０から離れる方向に付勢でき、これによって操作つまみ体１４０をバランス良くケース１１０に押し付けることができ、操作つまみ体１４０と移動体５０とをケース１１０に対してスムーズにがたつきなくスライド移動させることが可能となり、従って前記がたつきに基く音や振動の発生がさらに効果的に防止できる。
【００３７】
さらにこのスライド式電子部品１においては、ケース１１０の上面がスライド移動方向Ａに向けて略円弧状に湾曲しているが、これに合せてケース１１０の下面もスライド移動方向Ａに向けて略円弧状に湾曲させ、また移動体５０のケース１１０と対向する面もケース１１０の下面と略同一の略円弧状に形成し、一方板バネ８０の基部８１を移動体５０のケース１１０に対向する面に取り付けてその両弾発部８５，８５をケース１１０の下面に弾接することで、両アーム部８３，８３を略円弧状に弾性を持って撓ませる構造としている。つまり、ケース１１０の上面がスライド移動方向Ａに向けて略円弧状に湾曲していて操作つまみ体１５０も円弧状にスライド移動する構造のスライド式電子部品１であっても、上記構成とすることで、容易に操作つまみ体１５０をバランス良くケース１１０に押し付けて、操作つまみ体１５０と移動体５０とをケース１１０に対してスムーズにがたつきなくスライド移動させることが可能となり、がたつきに基く音や振動の発生を効果的に防止できる。
【００３８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えばケース１１０は必ずしもスライド移動方向Ａに向かって円弧状に湾曲させる必要はなく、平面状であっても良いし、円弧形状以外の各種湾曲形状であっても良い。即ちスライド移動方向Ａは円弧方向以外の直線方向やその他の曲線方向であっても良い。また上記実施形態では操作つまみ体１４０を、操作つまみ１５０とつまみ補助部材１８０の２部品を一体化することによって構成しているが、操作つまみ体１４０は一部品で構成しても良いし、３部品以上で構成しても良い。移動体５０は上記実施形態では電子部品本体２０内に設置したスライド移動体２３とは別に電子部品本体２０の上部に設置し、この移動体５０とスライド移動体２３とを連結することで電子部品本体２０を操作しているが、上記移動体５０を省略してスライド移動体２３自体を移動体としてもよい。この場合は操作つまみ体１４０をケース１１０の開口１１５を介して直接電子部品本体２０内の移動体（スライド移動体２３）に連結することとなる。また言い換えればこの場合、移動体が電子部品本体を構成する部品の一部となる。
【００３９】
また上記実施形態においては、衝撃吸収部材２１０を操作つまみ体１４０に設けた支持部材１８３に取り付けた例を示したが、支持部材１８３を移動体５０側（その上面）から開口１１５内に突出して設けて移動体５０側に衝撃吸収部材２１０を取り付けても良い。また必ずしも上記例に示すような形状・構造の支持部材１８３を設置する必要はなく、要はケース１１０の開口１１５内において操作つまみ体１４０又は移動体５０に衝撃吸収部材２１０を取り付け、操作つまみ体１４０をスライド移動した終端位置においてこの衝撃吸収部材２１０をケース１１０の開口１１５の内周面１１５ａに当接させる構造であれば良い。また衝撃吸収部材２１０の形状（支持部材挿入孔２１１の形状も含む）も上記実施形態の形状に限定されず、他の種々の形状・構造であっても良い。
【００４０】
また上記スライド式電子部品１においては、電子部品本体２０の内部に自動復帰機構を収納したが、自動復帰機構は電子部品本体２０の外部に設置しても良い。また上記スライド式電子部品１では電子部品本体２０に自動復帰機構を設けて間接的に操作つまみ体１４０及び移動体５０を中立位置に自動復帰させる構成としたが、例えば操作つまみ体１４０や移動体５０自体にこれを中立位置に自動復帰させる自動復帰機構を設けてもよい（例えば移動体５０自体をコイルバネによって中立位置に付勢するなど）。
【００４１】
また上記スライド式電子部品１においては弾発部材として板バネ８０を用いたが、板バネの代りに、線状バネ、コイルバネ等、他の各種弾発部材を用いても良い。
【図面の簡単な説明】
【００４２】
【図１】スライド式電子部品１の概略側断面図である。
【図２】スライド式電子部品１（その上側の部品）を上側から見た分解斜視図である。
【図３】スライド式電子部品１（その下側の部品）を上側から見た分解斜視図である。
【図４】スライド式電子部品１（その上側の部品）を下側から見た分解斜視図である。
【図５】スライド式電子部品１（その下側の部品）を下側から見た分解斜視図である。
【図６】スライド式電子部品１の動作説明図である。
【符号の説明】
【００４３】
１  スライド式電子部品
１０  回路基板
２０  電子部品本体
５０  移動体
８０  板バネ（弾発部材）
８１  基部
８３  アーム部
８５  弾発部
１１０  ケース
１１５  開口
１１５ａ  内周面
１４０  操作つまみ体
１５０  操作つまみ
１８０  つまみ補助部材
１８３  支持部材
２１０  衝撃吸収部材
２１１  支持部材挿入孔
Ａ  スライド移動方向
【図１】
2009158361.tif 000003
【図２】
2009158361.tif 000004
【図３】
2009158361.tif 000005
【図４】
2009158361.tif 000006
【図５】
2009158361.tif 000007
【図６】
2009158361.tif 000008